(57)【要約】  【課題】  複数のデータ種別の広告情報を取り扱うことができる、無線タグを利用した情報提供システム実現を目的とする。  【解決手段】  無線タグに記録された情報を基に商品の関連情報の取得方法データを取得し、この取得方法データに応じて商品の関連情報をコンテンツサーバから取得し、取得した商品の関連情報のデータ種別に応じてアプリケーションを自動的に起動することにより、広告主の要望に応じた商品の関連情報の提供とユーザにデータ種別やアプリケーションを意識させない広告情報の視聴を実現する。【選択図】  図１
2005128717.tif 000002
【特許請求の範囲】
【請求項１】
商品の関連情報を提供するコンテンツサーバと、前記商品の関連情報の取得方法に関するデータを管理し提供する仲介サーバとを備え、商品或いは広告に付けられた無線タグに記録された商品の識別子を基に前記取得方法データおよび商品の関連情報を提供する情報提供システムに接続され、
無線タグに記録された商品の識別子を読み取るデータ読み取り部と、前記データ読み取り部が読み取った商品の識別子を基に前記仲介サーバから商品の関連情報の取得方法データを取得する取得方法取得部と、前記取得方法取得部が取得した取得方法データに応じて起動するアプリケーションを選択する処理選択部と、前記コンテンツサーバへアクセスし商品の関連情報を取得し、関連情報を起動したアプリケーションへ渡す処理実行部とを有し、前記コンテンツサーバから配信される商品の関連情報を受信し処理する受信端末。
【請求項２】
コンテンツサーバから受信した商品の関連情報を格納し管理する情報管理部をさらに有することを特徴とする請求項１記載の受信端末。
【請求項３】
情報管理部は、仲介サーバから受信した取得方法データを格納し管理することを特徴とする請求項２記載の受信端末。
【請求項４】
無線タグには広告の識別子が記録されていることを特徴とする請求項１記載の受信端末。
【請求項５】
無線タグに記録された商品の識別子には、商品の関連情報を提供するサービスプロバイダを特定するための識別子及び前記商品を特定するための識別子を含むことを特徴とする請求項１または４記載の受信端末。
【請求項６】
無線タグに記録された広告の識別子には、広告手段のカテゴリーを特定するための識別子及びその広告が出されている場所を特定するための識別子を含むことを特徴とする請求項４または５記載の受信端末。
【請求項７】
前記取得方法取得部は、情報管理部に、サービスプロバイダごとの取得方法データを保持している場合、当該の取得方法に従い前記商品の関連情報を取得することを特徴とする請求項５記載の受信端末。
【請求項８】
前記取得方法取得部は、情報管理部に、サービスプロバイダごとの取得方法データを保持していない場合、前記仲介サーバへ問い合わせて取得方法データを取得し、取得した取得方法にて前記商品の関連情報を取得することを特徴とする請求項５記載の受信端末。
【請求項９】
前記取得方法データには、前記商品の関連情報を取得するための通信プロトコル情報及び前記商品の関連情報のありかを示すロケーション情報、及び取得方法データの有効期限を含むことを特徴とする請求項３記載の受信端末。
【請求項１０】
前記情報管理部は、当該情報管理部の記憶容量が満杯になったとき、前記取得方法データの有効期限から削除することを特徴とする請求項９記載の情報提供システム。
【請求項１１】
前記処理実行部は、取得方法データに対応して起動すべきアプリケーションが存在しない場合、当該アプリケーションを予め定められたロケーションからダウンロードし、自動的にセットアップすることを特徴とする請求項９記載の情報提供システム。
【請求項１２】
無線タグの利用を記録する利用管理部と、前記利用管理部が管理する利用情報を通信手段を用いて送信する利用情報提供部とをさらに有することを特徴とする請求項２記載の受信端末。
【請求項１３】
商品の関連情報を提供するコンテンツサーバとともに商品或いは広告に付けられた無線タグに記録された商品の識別子を基に前記取得方法データおよび商品の関連情報を提供する情報提供システムを構築し、
受信端末からの商品の関連情報の取得方法についての問い合わせを受け付ける受付部と、商品の識別子に対応した取得方法データを管理する情報管理部と、前記受付部が受け付けた商品の識別子から前記情報管理部が管理する取得方法データを特定し、当該取得方法データを受信端末へ送信する情報提供部とを有し、
前記商品の関連情報の取得方法に関するデータを管理し提供することを特徴とする情報提供仲介サーバ装置。
【請求項１４】
前記取得方法データには、前記商品の関連情報を取得するための通信プロトコル情報及び前記商品の関連情報のありかを示すロケーション情報、及び取得方法データの有効期限を含むことを特徴とする請求項１３記載の情報提供仲介サーバ装置。
【請求項１５】
受信端末からの商品の関連情報の取得方法についてのアクセスを基に無線タグの利用情報を登録し管理する利用管理部を有し、前記無線タグの利用状況を解析することを特徴とする請求項１３記載の情報提供仲介サーバ装置。
【請求項１６】
課金処理部を有し、受付部が受け付けたアクセス数に応じて課金を行うことを特徴とする請求項１５記載の情報提供仲介サーバ装置。
【請求項１７】
利用情報受付部を備え、受信端末からの利用情報の登録要求を受け付けて前記利用管理部へ利用情報を登録することを特徴とする請求項１５または１６記載の情報提供仲介サーバ装置。
【請求項１８】
商品の関連情報を提供するコンテンツサーバと、前記コンテンツサーバから配信される情報を受信し処理する受信端末と、無線タグを利用して前記商品の関連情報の取得方法に関するデータを前記受信端末に提供する仲介サーバとから構成され、
前記受信端末は、無線タグに記録された商品の識別子を読み取るデータ読み取り部と、前記データ読み取り部が読み取った商品の識別子を基に前記仲介サーバから商品の関連情報の取得方法データを取得する取得方法取得部と、前記取得方法取得部が取得した取得方法データに応じて起動するアプリケーションを選択する処理選択部と、前記コンテンツサーバへアクセスし商品の関連情報を取得し、関連情報を起動したアプリケーションへ渡す処理実行部とを有し、
前記仲介サーバは、前記受信端末からの商品の関連情報の取得方法についての問い合わせを受け付ける受付部と、商品の識別子に対応した取得方法データを管理する情報管理部と、前記受付部が受け付けた商品の識別子から前記情報管理部が管理する取得方法データを特定し、当該取得方法データを前記受信端末へ送信する情報提供部とを有することを特徴とする情報提供システム。
【請求項１９】
無線タグに記録された商品の識別子には、商品の関連情報を提供するサービスプロバイダの識別子及び前記商品を特定するための識別子を含むことを特徴とする請求項１８記載の情報提供システム。
【請求項２０】
前記取得情報取得部は、前記受信端末に、提供するサービスプロバイダごとの取得方法を保持している場合、当該の取得方法に従い前記関連情報の取得を行うことを特徴とする請求項１９記載の情報提供システム。
【請求項２１】
前記取得情報取得部は、前記受信端末に、提供するサービスプロバイダごとの取得方法を保持していない場合、前記取得情報提供部へ問い合わせ、取得方法を取得し、取得した取得方法にて前記関連情報の取得を行うことを特徴とする請求項１９記載の情報提供システム。
【請求項２２】
前記取得方法には、前記商品の関連情報を取得するための通信プロトコル情報及び前記商品の関連情報のありかを示すロケーション情報、及び取得方法の有効期限を含むことを特徴とする請求項１８記載の情報提供システム。
【請求項２３】
前記受信端末には、前記商品の関連情報を管理する関連情報管理部を有し、前記関連情報管理部は、メモリ容量がフルになったとき、前記有効期限から削除する関連情報を選択することを特徴とする請求項２２記載の情報提供システム。
【請求項２４】
前記処理実行部は、前記受信端末内に起動すべきアプリケーションが存在しない場合、当該アプリケーションを予め定められたロケーションからダウンロードし、自動的にセットアップすることを特徴とする請求項１８記載の情報提供システム。
【請求項２５】
前記仲介サーバには、前記受付部が受け付けた前記受信端末からのアクセス数を管理する利用管理部を有し、前記利用管理部により無線タグの利用状況を解析することを特徴とする請求項１８記載の情報提供システム。
【請求項２６】
前記仲介サーバには、前記受付部が受け付けた前記受信端末からのアクセス数を管理する利用管理部と、前記利用管理部により蓄積されたアクセス数に応じてサービスプロバイダに対し課金処理を行う課金処理部を有することを特徴とする請求項１８記載の情報提供システム。
【請求項２７】
前記受信端末は、仲介サーバへのアクセスログを管理する利用管理部と、利用管理部が管理するアクセスログを前記仲介サーバへ送信する利用情報提供部を有し、
前記仲介サーバは、前記受信端末から送られてくるアクセスログを受信する利用情報受付部を有し、
前記取得方法取得部は、自身で保持した取得方法の一覧から取得方法を選択することを特徴とする請求項２６記載の情報提供システム。
【請求項２８】
商品の関連情報を提供するコンテンツサーバと、前記コンテンツサーバから配信される情報を受信し処理する受信端末と、無線タグを利用して前記商品の関連情報の取得方法に関するデータを前記受信端末に提供する仲介サーバとにより実行される情報提供方法において、
前記受信端末は、無線タグに記録された商品の識別子を読み取るデータ読み取りステップと、前記データ読み取りステップにおいて読み取った商品の識別子から商品の関連情報の取得方法に関するデータを取得する取得方法データ取得ステップと、前記取得方法データ取得ステップにおいて取得した取得方法に応じて起動するアプリケーションを選択する処理選択ステップと、前記コンテンツサーバへアクセスし商品の関連情報を取得し、この関連情報を起動したアプリケーションへ渡す処理実行ステップとを実行し、
前記仲介サーバは、前記取得方法取得部からの問い合わせを受け付ける受付ステップと、商品の識別子に対応した取得方法を管理する取得情報管理ステップと、前記受付部が受け付けた商品の識別子から前記取得情報管理ステップが管理する取得方法を特定し、前記アプリケーション選択ステップへ送信する取得情報提供ステップとを実行することを特徴とする情報提供方法。
【請求項２９】
商品の識別子と、広告の識別子とが記録され、
前記商品の識別子には、商品の関連情報を提供するサービスプロバイダの識別子及び前記商品を特定するための識別子を含み、
前記広告の識別子には、広告手段のカテゴリーを特定するための識別子及びその広告が出されている場所を特定するための識別子を含み、
商品の関連情報を提供するコンテンツサーバと、前記コンテンツサーバから配信される情報を受信し処理する受信端末と、商品の関連情報の取得方法に関するデータを前記受信端末に提供する仲介サーバとから構成される情報提供システムに用いられることを特徴とする無線タグ。
【発明の詳細な説明】
【技術分野】
【０００１】
本発明は、看板などの広告媒体に取り付けられた無線タグを用いて広告に関する情報を提供する情報提供方法及び装置並びにシステムに関するものである。
【背景技術】
【０００２】
昨今、無線でのデータ送受信機能が備えられたＲＦＩＤ(Radio Frequency Identification)などの無線タグの利用に注目が集まっている。無線タグが媒体を選ばず付着することが可能であることや、形状や大きさなどの自由度が効くこと、紙などに印刷して形成することも可能であることなどから、流通はもとより広い分野での応用が考案されている。例えば、名刺などにホームページのアドレスを記録した無線タグを付着しておき、リード装置にてアドレスを読みこみインターネットに接続することによりホームページへのアクセスを容易にするといった利用（特開２０００−１１７２８６、特開２００１−３０７０４２）や、電子商取引での利用として、商品に商品番号を記録した無線タグを付随し、ユーザが気に入った商品についてリーダ装置を用いて無線タグから商品番号を読み取り、ユーザＩＤと伴にセンターに送信し、後ほど送信した商品の情報を閲覧することができるといった利用も考えられている（特開２００１−２８３０９５）。これらは、情報を取得するのにユーザが手動でホームページアドレスを入力しなければならなかったり、ユーザ自身が気に入った商品の情報を記憶して自ら情報を取得しなければならないという従来情報を得るのにかかっていた手間を軽減することを目的としている。
【特許文献１】特開２０００−１１７２８６公報
【特許文献２】特開２００１−３０７０４２公報
【特許文献３】特開２００１−２８３０９５公報
【発明の開示】
【発明が解決しようとする課題】
【０００３】
上記のような従来からある無線タグは購入済みの商品やお店にある商品のみならず吊り革広告や街中の看板などにも付着して情報を提供することが想定される。ユーザはリーダ機能がついた携帯情報端末などにて無線タグに記録されている情報、例えばホームページアドレスを読み取ることができる。インターネットで使用されているホームページアドレス、ＵＲＬは、プロトコル名とＲＦＣ１１２３で規定されたインターネットホストドメイン名もしくはＩＰアドレス（ドットつき１０進数形式）とディレクトリーパスで構成されている。ホームページアドレスにより、広告主はこの広告情報提供サービスに特化せずに、汎用なＷｅｂサーバを利用できるという特長がある。通常、このようなサービスを行う場合、上記のようにコンテンツの種類や通信プロトコル、ユーザへの提示プログラムを決めうちで実行する。
【０００４】
しかしながら、提供する広告情報は、Ｗｅｂコンテンツが一般的ではあるが、それ以外でも広告主が欲するサービス形態によってはＷｅｂコンテンツ以外のコンテンツもあり得る。更に、そのコンテンツを取得する方法も、コンテンツの種別に応じて複数の通信プロトコルを使用する場合があり、上記従来の情報提供方法ではこのような状況に対応するのが難しくなる。
【０００５】
本発明は上記従来の不具合に鑑みてなされたもので、その第１の目的は、携帯情報端末でいかなるコンテンツにおいてもユーザにはコンテンツの種別を意識させずに提示することが可能な情報提供方法及び装置並びにシステムを実現することである。
【０００６】
本発明の第２の目的は、コンテンツを提供するために無線タグを利用して広告主のホームページへアクセスさせる仕組みを設け、サービスプロバイダ側にとって、広告の効果を向上させる情報提供方法及び装置並びにシステムを実現することである。
【０００７】
また、無線タグを付着した広告を街中の看板におくのと吊り革広告におくのとで比較した場合、吊り革広告の無線タグをたどりホームページへアクセスした人が多い場合、吊り革広告のほうが広告としてより効果的であったと判断することができる。そこで、無線タグを利用した広告において、ホームページへのアクセスログからより効果的な広告であるかを判断するには、どこにある広告かを特定できる必要がある。
【０００８】
よって本発明の第３の目的は、無線タグを利用した広告提供において、広告の効果を計ることができる情報提供方法及び装置並びにシステムを実現することである。
【課題を解決するための手段】
【０００９】
上記課題を解決するため本発明のシステム構成においては、現状の広告提供方法と無線タグの標準化状況から、以下２つの条件を加味する。
１つは、広告は広告主が直接ディスプレイするのではなく、広告代理店が仲介しディスプレイを行うため、総合的な広告の価値を判断するには広告代理店が広告の効果を計る必要があることである。
【００１０】
もう１つは、近年無線タグに記録するＩＤの標準化が推進され、ＩＤ体系が整いつつあることを加味することである。
【００１１】
本発明では、第１に、商品の関連情報を提供するコンテンツサーバと、前記商品の関連情報の取得方法に関するデータを管理し提供する仲介サーバとを備え、商品或いは広告に付けられた無線タグに記録された商品の識別子を基に前記取得方法データおよび商品の関連情報を提供する情報提供システムに接続され、
無線タグに記録された商品の識別子を読み取るデータ読み取り部と、前記データ読み取り部が読み取った商品の識別子を基に前記仲介サーバから商品の関連情報の取得方法データを取得する取得方法取得部と、前記取得方法取得部が取得した取得方法データに応じて起動するアプリケーションを選択する処理選択部と、前記コンテンツサーバへアクセスし商品の関連情報を取得し、関連情報を起動したアプリケーションへ渡す処理実行部とを有することにより、無線タグを利用し入力の手間なく種々の広告関連情報をする受信端末を実現できる。
【００１２】
本発明はまた、情報管理部を有し、仲介サーバから受信した取得方法データを格納し管理することにより、受信端末における仲介サーバへの問い合わせによる通信負荷を減らすことができる。
【００１３】
本発明はまた、商品の関連情報を提供するコンテンツサーバと、前記コンテンツサーバから配信される情報を受信し処理する受信端末と、無線タグを利用して前記商品の関連情報の取得方法に関するデータを前記受信端末に提供する仲介サーバとから構成され、前記受信端末は、無線タグに記録された商品の識別子を読み取るデータ読み取り部と、前記データ読み取り部が読み取った商品の識別子を基に前記仲介サーバから商品の関連情報の取得方法データを取得する取得方法取得部と、前記取得方法取得部が取得した取得方法データに応じて起動するアプリケーションを選択する処理選択部と、前記コンテンツサーバへアクセスし商品の関連情報を取得し、関連情報を起動したアプリケーションへ渡す処理実行部とを有し、前記仲介サーバは、前記受信端末からの商品の関連情報の取得方法についての問い合わせを受け付ける受付部と、商品の識別子に対応した取得方法データを管理する情報管理部と、前記受付部が受け付けた商品の識別子から前記情報管理部が管理する取得方法データを特定し、当該取得方法データを前記受信端末へ送信する情報提供部とを有することにより、無線タグを利用し入力の手間なく種々の広告関連情報を携帯情報端末上へ配信するシステムを実現できる。
【００１４】
本発明はまた、取得方法を携帯情報端末上で保持することにより、仲介サーバへの問い合わせによる通信負荷を減らすことができる。
【００１５】
本発明はまた、取得情報を仲介サーバ側で管理することにより、携帯情報端末のメモリ容量負荷を軽減することができる。
【００１６】
本発明はまた、取得方法に通信プロトコル及び関連情報のロケーション情報、及び有効期限を含むことにより、起動するタイミングやアプリケーションを制御することができる。
【００１７】
本発明はまた、携帯情報端末上へダウンロードした関連情報がたまり、メモリ容量がひっぱくした場合、有効期限に応じて削除する関連情報を決定することにより、より多くの関連情報アクセスのログを残すことが可能となる。
【００１８】
本発明はまた、受信端末内に起動すべきアプリケーションが存在しない場合、アプリケーションを定められたロケーションからダウンロードし自動的にセットアップすることにより、ユーザは関連情報のデータ種別やそれに応じたアプリケーションの存在を意識せずに、関連情報の視聴を行うことができる。
【００１９】
本発明はまた、仲介サーバが受け付けた取得方法の問い合わせ数、アクセスログを管理し、課金処理することで、広告の効果に応じた課金を行うことができる。
【００２０】
本発明はまた、仲介サーバへのアクセスによる通信負荷を軽減する受信端末内に取得方法の一覧を保持した場合、受信機内で広告関連情報の取得アクセス数を管理し、定期的に仲介サーバへ送信することで、前記同様、仲介サーバで広告の効果に応じた課金を行うことができる。
【発明の効果】
【００２１】
以上のように本発明によれば、無線タグを利用した情報提供システムにおいて、携帯情報端末は、無線タグに記録された商品識別を読み取り、商品識別から商品情報の取得方法を仲介サーバから取得し、取得方法に応じて、コンテンツサーバへ商品情報を取得を行い、商品情報のデータ種別に応じたアプリケーションを自動的に立ち上げることにより、無線タグを利用し入力の手間なく種々の広告関連情報を携帯情報端末上へ配信するシステムを実現できる。
【００２２】
また、取得方法を携帯情報端末自身が保持することにより、仲介サーバへの問い合わせ回数を減らすことができ、結果通信負荷を軽減することができる。
また、取得方法を仲介サーバで保持し、携帯情報端末は無線タグから情報を取得するたびに取得方法を仲介サーバへ問い合わせることにより、携帯情報端末のメモリ容量を軽減することができる。
【００２３】
また、取得方法に通信プロトコル及び関連情報のロケーション情報、及び有効期限を含むことにより、起動するタイミングやアプリケーションを制御することができる。
【００２４】
また、携帯情報端末上へダウンロードした関連情報がたまり、メモリ容量がひっぱくした場合、有効期限に応じて削除する関連情報を決定することにより、より多くの関連情報アクセスのログを残すことができる。
【００２５】
また、受信端末内に起動すべきアプリケーションが存在しない場合、アプリケーションを定められたロケーションからダウンロードし自動的にセットアップすることにより、ユーザは関連情報のデータ種別やそれに応じたアプリケーションの存在を意識せずに、関連情報の視聴を行うことができる。
【００２６】
さらに、仲介サーバに、アクセスログを管理する利用管理部と利用状況に応じて課金処理を行う課金処理部を有することにより、広告の効果に応じた課金を行うことができる。
【００２７】
さらに、仲介サーバへのアクセスによる通信負荷を軽減する受信端末内に取得方法の一覧を保持した場合、受信機内で広告関連情報の取得アクセス数を管理し、定期的に仲介サーバへ送信することで、前記同様、仲介サーバで広告の効果に応じた課金を行うことができる。
【発明を実施するための最良の形態】
【００２８】
（実施の形態１）
図１は本実施の形態における情報提供システムのシステム構成を示すブロック図である。図１において、１０１は、受信端末としての役割を持つ携帯情報端末で、ＰＤＡなどのＣＰＵやメモリ、ディスプレイを備えた携帯型の端末で、無線タグのリーダ機能やインターネットアクセスのための通信機能などが備えられている。１０２は、広告代理店が運営するインターネットに接続された仲介サーバ、１０３は、メーカーなど広告主体者（或いはサービスプロバイダー）が運営するインターネットに接続されたコンテンツサーバであり、各々データベース機能を備えたワークステーションやＰＣ等の汎用計算機により構成されている。
【００２９】
携帯情報端末１０１には、無線タグのメモリ内容を読み取るデータ読み取り部１１１と、読み取った情報をもとに関連情報の取得方法に関するデータ（以下、取得方法データという）を取得するための取得方法取得部１１２と、取得方法取得部１１２が取得した取得方法データに応じて起動するアプリケーションを選択する処理選択部１１３と、取得方法データに応じて関連情報を取得し、アプリケーションを起動する処理実行部１１４と、取得した情報を蓄積管理する情報管理部１１５とを備える。
【００３０】
仲介サーバ１０２は、取得方法データの取得要求を受け付ける受付部１２１と、取得方法データを管理する情報管理部１２３と、情報管理部１２３から取得方法データを提供する情報提供部１２２とを備える。
【００３１】
コンテンツサーバ１０３は、コンテンツを管理する情報管理部１３２とコンテンツ情報を提供する情報提供部１３１を備える。
【００３２】
本実施の形態１における情報提供システムの特徴的な点は、無線タグのリーダであるデータ読み取り部１１１を備えた携帯情報端末１０１が、物理的な媒体広告１０４（広告看板とか電車の中吊り広告など）の上に付着した無線タグ１４１に記録した商品識別を読み込むことにより、ユーザの入力という手間をかけることなくインターネット上からその商品の情報を取得することができる広告情報配信において、仲介サーバ１０２側で情報取得のアクセスログを取得することで広告の効果を図ることである。
【００３３】
以下の説明においては、このように構成された情報提供システムの動作を詳しく説明するために、広告情報配信を例に説明する。
【００３４】
広告配信のイメージを図２に示す。図２において、ユーザは、無線タグリーダを備えた受信端末としてのＰＤＡ７０１を持ち歩いている。電車に乗ると、紙媒体の吊り広告７０２で雑誌の広告がぶら下がっており、そこには無線タグ７０３が付着している。ユーザは、その広告から雑誌の内容に興味を持ったので、雑誌に関する情報（雑誌情報）を得ようとＰＤＡ７０１を無線タグ７０３の方へ向け、データを要求するコマンドを無線で出力する。無線タグ７０３にはＩＣが組み込まれており、ＰＤＡ７０１から出力された無線コマンドによりＩＣが起動して自身に記録された情報を無線で送出し、このデータをＰＤＡ７０１が読み取る。ＰＤＡ７０１は、無線タグ７０３から受信した情報を基に雑誌情報のありかをインターネット経由で広告代理店が運営している仲介サーバ７０４へ問い合わせる。仲介サーバ７０４はＰＤＡ７０１からの問い合わせに応答して、雑誌情報のありかに関するデータをインターネット経由で送付する。ＰＤＡ７０１は、受け取った雑誌情報のありかから、広告情報を広告主である雑誌の出版社が運営しているコンテンツサーバ７０５へアクセスし雑誌情報を取得し、その雑誌情報を表示部に自動的に表示する。
【００３５】
この間、ＰＤＡ７０１の操作者（ユーザ）は自身でメールアドレスなどを入力する必要はなく、無線タグ７０３から受信した情報および仲介サーバ７０４から受け取った雑誌情報のありかに関するデータに基づいてアクセスするだけで雑誌情報のありかを知り、且つその雑誌情報を取得することができる。このように無線タグを利用すると、ユーザの入力操作なしに情報提供が可能となる。
【００３６】
以下、広告情報配信動作の詳細について述べる。図１のシステム構成において、広告主は、広告の対象となっている商品やサービスの識別情報、例えば近年複数の機関により標準化が推し進められている商品の識別子として、ＩＤ体系での商品ＩＤなどがあるが、そのような商品ＩＤを記録した無線タグ１４１を物理媒体である広告の一部に付着しておく。ユーザは携帯情報端末１０１にて、無線タグ１４１に記録された商品ＩＤを読み取り、読み取った情報を元に取得方法データの取得を行う。取得方法データは、仲介サーバ１０２で管理しており、取得方法取得部１１２は、仲介サーバ１０２の受付部１２１へ取得方法データの取得要求を行う。取得要求は、イーサーケーブル等を用いた有線による通信回線や無線ＬＡＮや携帯網を用いた無線通信などからインターネット経由で行う。そのとき、広告を特定できる情報も一緒に送信するが、その情報は商品ＩＤが記録されている同無線タグ１４１に記録されている場合もあるし、商品ＩＤが記録された無線タグとは別で同広告に付着した無線タグである場合もある。
【００３７】
図３は無線タグに記録する情報（以下、無線タグ情報という）の例を示すデータ構造図である。図３において、無線タグ情報は項目別に分けると、商品を特定するための識別情報である商品ＩＤ２０１と、広告を特定するための識別情報である広告ＩＤ２０２とからなる。
【００３８】
商品ＩＤ２０１は、サブ項目として、広告主を識別する情報である広告主ＩＤ２０３と、商品の品目を識別する情報である品目ＩＤ２０４と、品目ＩＤ２０４により特定される商品の細目の内容（具体的内容）を識別する情報である商品細目ＩＤ２０５とで構成され、これにより商品を一意に特定することができる。広告主ＩＤ２０３は、例えば「０ｘ０００１」といったデータ値が与えられ、これは広告主である菓子メーカＡを指し示すというように決められる。品目ＩＤ２０４は、例えば「０ｘ０１０１」といったデータ値が与えられ、これは菓子の中の品目としてアイスクリームが該当するというように決められる。商品細目ＩＤ２０５は、例えば「０ｘ０１０１０００００１」といったデータ値が与えられ、これは各種アイスクリームの中の三段アイスが該当するというように決められる。
【００３９】
広告ＩＤ２０２は、サブ項目として、看板や吊り革広告など広告手段のカテゴリーを識別、分類する情報であるカテゴリーＩＤ２０６と、その広告が出されている場所を識別する情報である広告場所ＩＤ２０７とで構成され、これにより広告を一意に特定することができる。カテゴリーＩＤ２０６は、例えば「０ｘ０１」といったデータ値が与えられ、これは広告手段としての吊り革広告を表すというように決められる。広告手段としては看板や吊り革広告の他に、電車やバスの中吊り広告、商業ビル内のディスプレイやポスター、カタログ、ちらし、新聞、雑誌、宣伝カーなどがある。広告場所ＩＤ２０７は、例えば・・「０ｘ０００００２」といったデータ値が与えられ、これは広告場所として地下鉄○○線の１２８号、１号車、２番目を表すというように決められる。
【００４０】
受付部１２１は、携帯情報端末１０１から受け取った商品ＩＤ２０１を情報提供部１２２へ受け渡す。情報提供部１２２は、情報管理部１２３が管理する取得方法データを取得方法取得部１１２へ送信する。
【００４１】
図４は情報管理部１２３が管理する取得方法データの例を示すデータ構造図である。取得方法データは、商品ＩＤ２０１に対応して広告主ＩＤ２０３と、品目ＩＤ２０４と、商品細目ＩＤ２０６とを含み、さらに通信プロトコル情報２０８と、商品情報のロケーション情報２０９と、有効期限２１０とからなる。通信プロトコル情報２０８はその広告に係る商品情報を取得するための通信形態を表す情報であり、例えばＨＴＴＰとかＦＩＰが明示されている。商品情報のロケーション情報２０９はその広告に係る商品情報のありかを示す情報であり、例えばコンテンツサーバ１０３へアクセスするためのＥ−メールアドレスなどが記述されている。有効期限２１０は、その広告の有効期限を示す情報である。取得方法データの中に記述された広告主ＩＤ２０３と、品目ＩＤ２０４と、商品細目ＩＤ２０６とは、図３に示されたそれぞれのデータに対応するものである。
【００４２】
携帯情報端末１０１の取得方法取得部１１２は、取得した取得方法データを処理選択部１１３へ受け渡す。処理選択部１１３は、ロケーション情報２０９から起動すべきアプリケーションを判断し、アプリケーション情報と通信プロトコル情報２０８とロケーション情報２０９を処理実行部１１４に引き渡す。処理実行部１１４は、内部で保持した対応表に基づいて行い、対応表ではファイルの種類に対応したアプリケーションとアプリケーションの取得先が規定されている。
【００４３】
図５は処理実行部１１４が保持する対応表を示す。この対応表は、ｈｔｍｌとかｘｍｌといったファイルの種類を示すファイル種情報２１１と、ブラウザとかビューアなどの、上記ファイルを取得したときに起動するアプリケーション情報２１２と、アプリケーション情報２１２がない場合に当該アプリケーション情報２１２をダウンロードするためのアプリケーション取得先情報２１３とが記述されている。
【００４４】
また、処理実行部１１４は、ファイルの種類をロケーション情報２０９にある拡張子などのファイル識別から特定する。例えば、広告情報がＨＴＭＬファイルであれば、処理実行部１１４は対応表にしたがってＨＴＭＬを解釈し表示する規定のアプリケーションを起動する。また、ＸＭＬファイルであれば、対応表にしたがってＸＭＬを解釈し表示する規定のアプリケーションを起動する。処理実行部１１４は、内部に該当するアプリケーションが存在しない場合、アプリケーションの取得先から適切なアプリケーションをダウンロードし、自動的にセットアップする機能も備えている。
【００４５】
処理実行部１１４が起動したアプリケーションは、ロケーション情報２０９が指し示すコンテンツサーバ１０３へ指定された通信プロトコル２０８にてアクセスし、コンテンツサーバ１０３は情報管理部１３２が管理する広告情報を情報提供部１３１を用いて送信する。
【００４６】
これにより、広告主はこの広告情報配信に特化せずに汎用のインターネットサービスを用いてサービスを提供することができる。また、取得した広告情報は、取得方法取得部１１２が取得した取得方法データとあわせて情報管理部１１５にて管理する。情報管理部１１５は容量管理を行っており、予め規定された容量を超えると自動的に広告情報の削除を行う。削除する広告情報は、取得方法データの有効期限２１０から判断し、有効期限が現在時刻から、より遠い過去である広告情報から順次削除する。なお、広告情報を削除しても、取得方法データはログとして保持しているので、有効期間内であれば再度コンテンツサーバ１０３から広告情報を取得することは可能である。
【００４７】
（実施の形態２）
図６は本実施の形態２における情報提供システムのシステム構成を示すブロック図である。このブロック図については、図１のシステム構成に追加した機能ブロックのみ説明する。説明を割愛した機能ブロックおよびその動作内容は、実施の形態１における機能ブロックおよびその動作と同じである。
【００４８】
仲介サーバ１０２は、受付部１２１が受け付けたアクセス数を管理する利用管理部６２４と、アクセス数に応じて課金を行う課金処理部６２５を備える。本実施の形態２における情報提供システムの特徴的な点は、実施の形態１で説明した仲介サーバ１０２に、広告の利用数を収集する機能ブロックと課金処理を行う機能ブロックとが追加された点である。これにより、仲介サーバ１０２は、携帯情報端末１０１からのアクセス数により広告の効果を測ることができ、アクセス数に応じて広告主に広告料の請求を行うことができる。
【００４９】
以下、その動作を実施の形態１で説明したものと同じ広告情報配信を例に説明する。仲介サーバ１０２の受付部１２１は、携帯情報端末１０１の取得方法取得部１１２から取得方法データの取得要求を受け付けると、利用管理部６２４へ受け取った情報、商品ＩＤと広告ＩＤを受け渡す。更に、課金処理部６２５は定期的に起動し、利用管理部６２４が管理するアクセス数に応じて課金処理を行う。例えば、情報提供料として１アクセスあたり０．１円であった場合、ある広告主に関する取得方法データを１０００回提供した場合、１００円を広告主へ請求する。
【００５０】
これにより広告代理店は、どこにディスプレイした広告がどれくらいの効果があったかを把握することができ、それに応じて課金処理を行うことができる。
【００５１】
（実施の形態３）
図７は本実施の形態における構成情報提供システムのシステム構成を示すブロック図である。このブロック図については、上記実施の形態１および実施の形態２で記した機能ブロックで機能或いは動作が異なるものについてのみ説明する。説明を割愛した機能ブロックおよびその動作内容は、実施の形態１および実施の形態２における機能ブロックおよびその動作と同じである。
【００５２】
携帯情報端末１０１は、仲介サーバ１０２から取得したデータの取得方法一覧を管理する取得方法取得部１１２と、無線タグの利用を記録した利用管理部４１１と、利用管理部４１１が管理する利用情報を仲介サーバ１０２へ提供する利用情報提供部４１２を備える。
【００５３】
また、仲介サーバ１０２は、取得方法データの取得要求に対して、取得方法データの一覧を返す情報提供部１２２と、利用情報の登録要求を受け付け利用管理部６２４へ利用情報の登録を実施する利用情報受付部４２１を備える。
【００５４】
携帯情報端末１０１は、読み取り部１１１で広告に付着した無線タグ１４１の内容を読み取ると、取得方法取得部１１２へ取得方法データの取得要求を行う。取得方法取得部１１２は、内部で取得方法データの一覧を保持している場合は、それを参照し、保持していない場合は、受付部１２１へ取得方法データ一覧の取得要求を行う。
【００５５】
取得方法データの内容は、実施の形態１において使用したものと同様である。取得方法取得部１１２は、取得方法データ一覧から無線タグ１４１から読み出した商品ＩＤ２０１に対応する取得方法データを取得し、処理選択部１１３へアプリケーションの選択を依頼する。また、取得方法取得部１１２は、商品ＩＤ２０１と広告ＩＤ２０２を利用管理部４１１へ登録する。利用情報提供部４１２は、定期的に利用管理４１１で管理している利用情報中、未登録である利用情報を利用情報受付部４２１へ送信する。利用情報受付部４２１は、受け付けた利用情報を利用管理部６２４へ登録する。以降の動作は実施の形態２と同様なため、説明は割愛する。
【００５６】
これにより、実施の形態２での効果に加え、携帯情報端末１０１は、無線タグからの内容を読み取るごとに仲介サーバへ問い合わせずに済み、仲介サーバ１０２との通信負荷を減らすことができる。
【００５７】
本発明は、図面に示す好ましい実施の形態に基づいて説明されてきたが、当業者であれば、本発明の思想を逸脱することなく容易に各種の変更、改変し得ることは明らかである。本発明はそのような変更例も含むものである。
【図面の簡単な説明】
【００５８】
【図１】本発明の第１の実施形態における情報提供システムの構成を示すブロック図
【図２】本発明の第１の実施形態におけるサービスイメージ図
【図３】本発明の第１の実施形態における無線タグに記録された情報のデータ構成図
【図４】本発明の第１の実施形態における取得方法データのイメージデータ構成図
【図５】本発明の第１の実施形態における処理選択部が保持する対応表の構造を表す図
【図６】本発明の第２の実施形態における情報提供システムの構成を示すブロック構成図
【図７】本発明の第３の実施形態における情報提供システムの構成を示すブロック図
【符号の説明】
【００５９】
１０１  携帯情報端末
１０２  仲介サーバ
１０３  コンテンツサーバ
１０４  広告
１１１  受付部
１１２  取得方法取得部
１１３  処理判断部
１１４  処理実行部
１１５  情報管理部
１２１  受付部
１２２  情報提供部
１２３  情報管理部
１３１  情報提供部
１３２  情報管理部
１４１  無線タグ
２０１  商品識別情報
２０２  広告識別情報
４１１  利用管理部
４１２  利用情報提供部
６２４  利用管理部
６２５  課金処理部
７０１  携帯情報端末
７０２  吊り革広告
７０３  無線タグ
７０４  仲介サーバ
７０５  コンテンツサーバ
【図１】
2005128717.tif 000003
【図２】
2005128717.tif 000004
【図３】
2005128717.tif 000005
【図４】
2005128717.tif 000006
【図５】
2005128717.tif 000007
【図６】
2005128717.tif 000008
【図７】
2005128717.tif 000009